(57)【要約】【課題】画像読取装置の設計段階において、フレア現象などのような画像品質に影響のある特性を予測でき、より高品質な画像を得ることができる画像読取装置のシミュレーション装置、シミュレーション方法及びシミュレーションプログラムを提供する。【解決手段】原稿に相当する原稿パターンと照明装置から原稿に直接照射したときの１次照明光分布と１次照明光が原稿面で反射して再度原稿を照明したときの２次照明光分布と画像読取装置における原稿画像の読取位置を設定する設定手段３１と、１次照明光分布と読取位置から１次照明光強度を算出し、２次照明光分布と原稿パターンと読取位置から２次照明光強度を算出する演算手段３２と、１次照明光強度の値と２次照明光強度の値を表示する表示手段３３とを備える。【選択図】      図３
2004227225.tif 000002
【特許請求の範囲】
【請求項１】
照明装置を搭載した画像読取装置の、照明光強度を予測する画像読取装置のシミュレーション装置において、
原稿に相当する原稿パターンと前記照明装置から前記原稿に直接照射したときの１次照明光分布と１次照明光が前記原稿面で反射して再度原稿を照明したときの２次照明光分布と前記画像読取装置における原稿画像の読取位置を設定する設定手段と、
前記１次照明光分布と前記読取位置から１次照明光強度を算出し、前記２次照明光分布と前記原稿パターンと前記読取位置から２次照明光強度を算出する演算手段と、
前記１次照明光強度の値と前記２次照明光強度の値を表示する表示手段と、
を備えたことを特徴とする画像読取装置のシミュレーション装置。
【請求項２】
前記読取位置を前記原稿パターン上で順次移動させながら、前記１次照明光強度分布と前記２次照明光強度分布を算出し、前記１次照明光強度分布と前記２次照明光強度分布を合計した値を前記原稿パターンに対して前記読取位置ごとに掛け算して照明画像を算出する演算手段と、
前記照明画像を記録する記録手段と、
前記照明画像を表示する表示手段と、
を備えたことを特徴とする請求項１記載の画像読取装置のシミュレーション装置。
【請求項３】
前記演算手段は前記原稿パターンから前記照明画像を画素ごとに引き算をし、引き算した結果の差分画像を前記表示手段に表示することを特徴とする請求項２記載の画像読取装置のシミュレーション装置。
【請求項４】
前記演算手段は前記読取位置を前記原稿パターン上で順次移動させながら、前記１次照明光強度分布を算出し、前記１次照明光強度分布を前記原稿パターンに対して前記読取位置ごとに掛け算して１次照明光単独照明画像を算出し、
前記照明画像と前記１次照明光単独照明画像とを前記表示手段に同時表示することを特徴とする、請求項２記載の画像読取装置のシミュレーション装置。
【請求項５】
前記設定手段は前記原稿パターンの周辺部を均一原稿として前記周辺部データを設定し、
前記演算手段は前記原稿パターンと同一サイズの照明画像を算出することを特徴とする請求項２乃至４のいずれか一項に記載の画像読取装置のシミュレーション装置。
【請求項６】
前記画像読取装置の解像度と前記原稿パターンの解像度と前記１次照明光分布の解像度が一致しており、且つ前記２次照明光分布の解像度の整数倍であることを特徴とする請求項２乃至５のいずれか一項に記載の画像読取装置のシミュレーション装置。
【請求項７】
前記画像読取装置のライン読取の走査による２次元画像の読み取り動作においては、前記原稿パターンの前記走査に垂直な方向のサイズが前記画像読取装置の読取幅と一致していることを特徴とする請求項２乃至６のいずれか一項に記載の画像読取装置のシミュレーション装置。
【請求項８】
前記設定手段は基準となる読取位置を設定し、
前記演算手段は前記１次照明光分布と前記基準となる読取位置からシェーディングデータとなる１次照明光強度を算出し、
シェーディング処理を行うための信号処理手段によって前記照明画像を前記シェーディングデータを用いて処理することを特徴とする請求項２乃至７のいずれか一項に記載の画像読取装置のシミュレーション装置。
【請求項９】
照明装置を搭載した画像読取装置の、照明光強度を予測する画像読取装置のシミュレーション方法において、
原稿に相当する原稿パターンと前記照明装置から前記原稿に直接照射したときの１次照明光分布と前記１次照明光が前記原稿面で反射して再度原稿を照明したときの２次照明光分布と前記画像読取装置における原稿画像の読取位置を設定する設定工程と、
前記１次照明光分布と前記読取位置から１次照明光強度を算出し、前記２次照明光分布と前記原稿パターンと前記読取位置から２次照明光強度を算出する演算工程と、
前記１次照明光強度の値と前記２次照明光強度の値を表示する表示工程と、
を備えたことを特徴とする画像読取装置のシミュレーション方法。
【請求項１０】
照明装置を搭載した画像読取装置の、照明光強度を予測する画像読取装置のシミュレーションプログラムにおいて、
原稿に相当する原稿パターンと前記照明装置から前記原稿に直接照射したときの１次照明光分布と前記１次照明光が前記原稿面で反射して再度原稿を照明したときの２次照明光分布と前記画像読取装置における原稿画像の読取位置を設定する設定工程と、
前記１次照明光分布と前記読取位置から１次照明光強度を算出し、前記２次照明光分布と前記原稿パターンと前記読取位置から２次照明光強度を算出する演算工程と、
前記１次照明光強度の値と前記２次照明光強度の値を表示する表示工程と、
を備えたことを特徴とする画像読取装置のシミュレーションプログラム。
【発明の詳細な説明】
【０００１】
【発明の属する技術分野】
本発明は、スキャナなどの画像読取装置の開発設計評価に使用して好適な画像読取装置のシミュレーション装置、シミュレーション方法及びシミュレーションプログラムに関する。
【０００２】
【従来の技術】
デジタルＰＰＣ（Ｐｌａｉｎ  Ｐａｐｅｒ  Ｃｏｐｉｅｒ：普通紙複写機）などに搭載されているスキャナは、原稿の濃度を正確に読み取ることが必要である。原稿読取濃度を決定する構成要素は、１番目としてＣＣＤなどの撮像素子の感度と、２番目としてレンズなど光学系による読取位置と、３番目としてランプの発光量と、４番目としてランプと光学系と原稿を含めた総合的な照明光量の４つの要素がある。
スキャナには照明装置が内臓されており、一般的なスキャナではライン状に原稿を読み取り、これを走査することで２次元の画像を読み取っている（線順次画像読取）。その際、照明装置と原稿との距離が小さいため、図２３に示すように画像読取装置の照明装置１からの照明光２が原稿面３に当たって、スキャナ内の光学部品４に反射して再度原稿を照明する再照明光５が生じる現象（フレア現象）があることが知られている。なお、照明装置から原稿面に到達する照明光を１次照明光、原稿面を反射して再度原稿面を照明する光を２次照明光と言う。このフレア現象が生じると同一原稿濃度なのに、その周辺原稿濃度の差によって、スキャナ読取画像信号が変化する。これは２次照明光が原稿面で反射する際に原稿濃度によって反射光量が変化するため、１次照明光と２次照明光の合計である照明光が原稿濃度によって変わってしまうことから生じる。
【０００３】
図２４にフレア現象が生じた場合の読取画像の概略図を示す。黒パターン部６に挟まれた境界部７（斜線部）は白パターン部８と比べて暗く読み取られる。原稿の白パターンは何処であっても濃度が均一であるため、あきらかに読取画像としては劣化していることになる。これは黒帯に挟まれた領域をスキャナが読んだ際、その両側が黒いため、白色原稿部を読み取った場合と比較して２次照明光が相対的に減ってしまうためである。
全般に原稿反射率が低い領域ほどスキャナは暗く画像を読み取り、原稿反射率が高い領域ほどスキャナは明るく画像を読み取ることになる。つまり、黒文字原稿において文字内の白部がスキャナ画像においては暗くなり、結果的にコントラストが低下して読みづらくなってしまうなどの不良となって認識される。
そのため、画像読取装置などの開発においては、読取画像のシミュレーション装置を用いて画像品質の評価・確認を行っている。その一例として、撮像素子と光学系と処理回路を有する電子撮像装置を対象にシミュレーションする方法及び装置に関するもので、任意の被写体に対する読取画像の算出を行うものが知られている。この内容は、任意の被写体は２次元強度分布データで構成されており、幾何学的なテストパターンであれば計算機にて算出している。また、被写体に相当する画像を、イメージスキャナで読み取って２次元強度分布データを取得する方法も提案している（例えば、特許文献１参照）。
また、スキャナなどの光学系に関するシミュレーションとしては、光線追跡手法などが知られている。これはミラーやレンズ、照明といった光学要素を数式化して幾何計算によって光学系のシミュレーションを行なうもので、照明系のシミュレーションには光線数を増やして行なう。
さらに、スキャナ内の各イメージプロセスをモデル化して連結することで、任意原稿に設対するその読取画像を予測する画像入力装置のシミュレーション装置およびシミュレーション方法が提案されている（例えば、特許文献２参照）。スキャナ内の各イメージプロセス要素（光学、機械、電気、画像処理）ごとにパラメータを設定することで、原稿のモデルであるデジタルデータ配列に対する読取画像を算出する。デジタルデータ配列は、ＴＩＦＦ形式やＢＩＴＭＡＰ形式を活用している。データそのものは画像の反射率に相当する。
【特許文献１】特開平０９−００６８２７号公報
【特許文献２】特開２００１−２２９２１４公報
【０００４】
【発明が解決しようとする課題】
上述したような２次照明光の問題に対しては、スキャナの設計段階において原稿面を反射した２次照明光が再度原稿を照明しないように光学系部品を黒く塗装したり、レイアウトを適正化するなどの対応をしているが、２次照明光と実際の原稿読取による劣化との関係が明らかではなかった。つまり、２次照明光の低減目標を画像読取品質から求めることが難しかった。そのため、設計後の試作段階で実際に原稿を読み取ったスキャナ画像を評価基準に、各種対応の効果を確認していた。
また、光線追跡手法を用いた場合はスキャナを試作することなく照明状態を予測できるが、最終特性としての原稿に対する読取画像はシミュレーションできない。さらに、特許文献２の画像入力装置のシミュレーション装置およびシミュレーション方法では、スキャナの照明系に関して、前記スキャナに内臓されている照明装置から原稿設置面に直接照射する１次照明光分布を用いて計算を行なっているだけなので、十分な効果を得ることができない。
そこで、本発明は、上述の問題点を解決するためになされたもので、画像読取装置の設計段階において、フレア現象などのような画像品質に影響のある特性を予測でき、より高品質な画像を得ることができる画像読取装置のシミュレーション装置、シミュレーション方法及びシミュレーションプログラムを提供することを目的とする。
【０００５】
【課題を解決するための手段】
上述の問題点を解決するために、請求項１記載の発明では、照明装置を搭載した画像読取装置の、照明光強度を予測する画像読取装置のシミュレーション装置において、原稿に相当する原稿パターンと前記照明装置から前記原稿に直接照射したときの１次照明光分布と１次照明光が前記原稿面で反射して再度原稿を照明したときの２次照明光分布と前記画像読取装置における原稿画像の読取位置を設定する設定手段と、前記１次照明光分布と前記読取位置から１次照明光強度を算出し、前記２次照明光分布と前記原稿パターンと前記読取位置から２次照明光強度を算出する演算手段と、前記１次照明光強度の値と前記２次照明光強度の値を表示する表示手段と、を備えたことを特徴とする。
請求項２記載の発明では、前記読取位置を前記原稿パターン上で順次移動させながら、前記１次照明光強度分布と前記２次照明光強度分布を算出し、前記１次照明光強度分布と前記２次照明光強度分布を合計した値を前記原稿パターンに対して前記読取位置ごとに掛け算して照明画像を算出する演算手段と、前記照明画像を記録する記録手段と、前記照明画像を表示する表示手段と、を備えたことを特徴とする。
請求項３記載の発明では、前記演算手段は前記原稿パターンから前記照明画像を画素ごとに引き算をし、引き算した結果の差分画像を前記表示手段に表示することを特徴とする。
請求項４記載の発明では、前記演算手段は前記読取位置を前記原稿パターン上で順次移動させながら、前記１次照明光強度分布を算出し、前記１次照明光強度分布を前記原稿パターンに対して前記読取位置ごとに掛け算して１次照明光単独照明画像を算出し、前記照明画像と前記１次照明光単独照明画像とを前記表示手段に同時表示することを特徴とする。
請求項５記載の発明では、前記設定手段は前記原稿パターンの周辺部を均一原稿として前記周辺部データを設定し、前記演算手段は前記原稿パターンと同一サイズの照明画像を算出することを特徴とする。
請求項６記載の発明では、前記画像読取装置の解像度と前記原稿パターンの解像度と前記１次照明光分布の解像度が一致しており、且つ前記２次照明光分布の解像度の整数倍であることを特徴とする。
請求項７記載の発明では、前記画像読取装置のライン読取の走査による２次元画像の読み取り動作においては、前記原稿パターンの前記走査に垂直な方向のサイズが前記画像読取装置の読取幅と一致していることを特徴とする。
【０００６】
請求項８記載の発明では、前記設定手段は基準となる読取位置を設定し、前記演算手段は前記１次照明光分布と前記基準となる読取位置からシェーディングデータとなる１次照明光強度を算出し、シェーディング処理を行うための信号処理手段によって前記照明画像を前記シェーディングデータを用いて処理することを特徴とする。
請求項９記載の発明では、照明装置を搭載した画像読取装置の、照明光強度を予測する画像読取装置のシミュレーション方法において、原稿に相当する原稿パターンと前記照明装置から前記原稿に直接照射したときの１次照明光分布と前記１次照明光が前記原稿面で反射して再度原稿を照明したときの２次照明光分布と前記画像読取装置における原稿画像の読取位置を設定する設定工程と、前記１次照明光分布と前記読取位置から１次照明光強度を算出し、前記２次照明光分布と前記原稿パターンと前記読取位置から２次照明光強度を算出する演算工程と、前記１次照明光強度の値と前記２次照明光強度の値を表示する表示工程と、を備えたことを特徴とする。
請求項１０記載の発明では、照明装置を搭載した画像読取装置の、照明光強度を予測する画像読取装置のシミュレーションプログラムにおいて、原稿に相当する原稿パターンと前記照明装置から前記原稿に直接照射したときの１次照明光分布と前記１次照明光が前記原稿面で反射して再度原稿を照明したときの２次照明光分布と前記画像読取装置における原稿画像の読取位置を設定する設定工程と、前記１次照明光分布と前記読取位置から１次照明光強度を算出し、前記２次照明光分布と前記原稿パターンと前記読取位置から２次照明光強度を算出する演算工程と、前記１次照明光強度の値と前記２次照明光強度の値を表示する表示工程と、を備えたことを特徴とする。
【０００７】
【発明の実施の形態】
以下、図面により本発明の実施の形態を詳細に説明する。図１は画像読取装置の概略図であり、図２は側面から見た構成を表している。原稿１１はコンタクトガラス１２上に設置され、ランプ１３の光及びランプ１３の光を受けたリフレクター１４の光が撮像領域１５に照射され、その反射光が走行体１６及び走行体１７内の折り返しミラー１８を通してレンズ１９によって１次元撮像素子２０の面に結像し、１次元撮像素子２０が撮像領域１５の画像を１次元に取得する。
走行体１６と走行体１７はモータ２１による駆動を伝達手段２２を通じて受け、コンタクトガラス１２の面において撮像領域１５と垂直方向にコンタクトガラス１２の面に対するレンズ１９の結像位置が１次元撮像素子２０の面になる状態を保ちながら走行することで、コンタクトガラス１２上にある原稿１１の画像を１次元撮像素子２０にて２次元的に取得することができる。撮像素子としては１次元ＣＣＤ（Ｃｈａｒｇｅ  Ｃｏｕｐｌｅｄ  Ｄｅｖｉｃｅ）が用いられ、レンズ１９はコンタクトガラス１２の面に対して縮小して１次元撮像素子２０上に結像している。なお、走行体１６が走査する方向を副走査方向と呼び、１次元撮像素子２０の画像読み取り方向を主走査方向と呼ぶ。ちなみに、通常スキャナの画像解像度はＤＰＩ（ドット／ｉｎｃｈ）で表され、デジタルＰＰＣ（Ｐｌａｉｎ  Ｐａｐｅｒ  Ｃｏｐｉｅｒ：普通紙複写機）に搭載されるスキャナは４００ないし６００ＤＰＩである場合が多い。
【０００８】
図３は本発明の第１の実施形態である画像読取装置のシミュレーション装置１００の基本構成を示す。画像読取装置のシミュレーション装置１００は設定手段３１、演算手段３２、表示手段３３、記録手段３４、各手段間でデータをやり取りするデータバス３５からなっている。
図４は画像読取装置のシミュレーション装置１００の動作を示したフローチャートであり、図３で示したハードウェア上で実行される。また、このフローチャートは本発明の実施の一形態である画像読取装置のシミュレーション方法及び画像読取装置のシミュレーションプログラムを示したものでもある。同図に示すように、ステップＳ１でシミュレーションがスタートし、ステップＳ２へ進んで原稿パターンの設定を行う。
ここで、原稿パターン設定について図５の原稿パターン例を用いて説明する。原稿パターンは２次元のデータ配列であり、各データは原稿上の各座標における光学反射率（％）であることが望ましい。また、データ配列の密度はシミュレーション対象の画像読取装置の読取密度と同一であることが望ましい。データそのものは描画ツールによる作成でも良いし、デジタルカメラ等で撮影した画像データを用いても良い。ただしスキャナを用いた画像取得ではそのフレア成分が排除できないため望ましくない。図６に示した小さい枠は原稿パターンの１画素に相当し、そこに１個の反射率データを有している事になる。原稿パターンにはシミュレーション対象の画像読取装置に応じて、主走査方向と副走査方向を有している。白部は原稿のベース部（用紙）であり、黒部は原稿の印刷部である。
【０００９】
図４に戻って、ステップＳ２で原稿パターンの設定を行うとステップＳ３へ移り１次照明光分布データの設定を行う。１次照明光分布データは図６に示すように２次元のデータ配列であり、各データは原稿面の各座標における光強度で、単位としては照度（Ｌｕｘ）や光強度（Ｗ／ｍ２）が望ましい。また、データ配列の密度は前記原稿パターン密度と同一であることが望ましい。本データは実測値を用いても良いし、汎用的な光線追跡手法によるシミュレーション結果を用いても良い。実測では対象の画像読取装置において照明を点灯状態で固定し、原稿面に設置した照度計によって、原稿面の照度分布を計測する手法などが知られている。
図４のステップＳ３で１次照明光分布データの設定を行うとステップＳ４へ移り、２次照明光分布データの設定を行う。２次照明光分布データは図７に示すように２次元のデータ配列であり、原稿が均一反射率原稿と仮定した場合の、１次照明光が読取位置以外の原稿面を反射して、原稿面の読取位置を照明した原稿面の各座標における光強度（２次照明光）分布を表わす。単位としては照度（Ｌｕｘ）や光強度（Ｗ／ｍ２）が望ましい。また、データ配列の密度は前記１次照明光分布データの密度と同一であることが望ましい。本データは実測値を用いても良いし、汎用的な光線追跡手法によるシミュレーション結果を用いても良い。
計測手法の１例を図８に示す。対象の画像読取装置において原稿面に１次照明光代わりの点光源装置４１を点灯状態で読取位置近辺に固定し、前記画像読取装置の照明装置４２を無点灯状態とする。前記点光源装置４１から発射された光が光学部品４３等を反射して、原稿面にもどってきた光を照度計４４によって検出する。この戻ってきた光は２次照明光強度と同一である。照度計の設置位置を順次移動させることで原稿面の２次照明光強度分布を計測する。
図４のステップＳ４で２次照明光分布データの設定を行うとステップＳ５へ移り、読取位置の設定を行う。図９のように、上述の原稿パターンを対象として、そのパターンにおいてどの位置を読み取るかを指定することになる。図９において指定した読取位置は、主走査方向両側が黒部であり、副走査方向両側は読取位置と同一の白部となっている。
【００１０】
次に、図４のステップＳ６へ進み、読取位置１次照明光強度演算を行う。ここでは、図１０のように、１次照明光分布データ５１から、ステップＳ５にて指定された読取位置５２に相当する強度データ５３を抽出する。ただしシミュレーション対象の画像読取装置が、ライン読取である線順次読取動作の場合、読取ラインの垂直方向へは１次照明光分布は平行移動させないと、前記画像読取動作の動作と異なってしまうので注意が必要である。
そして、図４のステップＳ７へ進んで読取位置２次照明光強度演算を行う。図１１のように、原稿パターンと、２次照明光分布データ６１を、読取位置６２を基準に位置合わせを行ない、前記原稿パターンと、２次照明光分布データ６１の各座標位置ごとに両者の積を計算してその総和を算出する。
さらに、図４のステップ８へ移り、各照明光強度データを表示する。つまり、読取位置１次照明光強度演算で算出した読取位置の１次照明光強度と、読取位置２次照明光強度演算で算出した読取位置の２次照明光強度を、画像読取装置のシミュレーション装置１００の表示手段３３（図３）に表示して動作を終了する。
以上の工程によって、任意原稿パターンの任意読取位置に対する１次照明光強度と、２次照明光強度を予測する。
したがって、第１の実施形態では、画像読取装置の設計段階において、任意の原稿パターンに対する１次照明光と２次照明光の要素を盛込んだ照明光の変化を算出できるので、フレア現象といった画像品質に影響のある特性を予測でき、より高品質な画像読取装置を実現できるといった効果を有する。
【００１１】
続いて、本発明の第２の実施形態としての画像読取装置のシミュレーション装置について図１２のフローチャートを用いて説明する。第１の実施形態のシミュレーション処理における読取位置を、自動的に前記原稿パターン内の任意領域内で順次移動させ、前記任意領域に相当する範囲の１次照明光強度分布と、２次照明光強度分布を算出している（ステップＳ１１〜ステップＳ１７）。
さらに前記１次照明光強度分布と、前記２次照明光強度分布を画素ごとに加算後、前記原稿パターン内の任意領域内と画素ごとに積分することで、１次照明光と２次照明光を盛込んだ照明画像（原稿画像に対して、照明されて原稿から反射した光画像のこと。）を得ている（ステップＳ１８〜ステップＳ２０）。この照明画像を表示手段３３（図３）に表示する（ステップＳ２１）。
図１３〜図１５を用いて補足すると、上述した画像読取装置のシミュレーション方法により、図１３にて示す原稿パターンに対して、２次照明光強度成分を含まないで算出したシミュレーション画像（図１４）と、２次照明光強度成分を含んで算出したシミュレーション画像（図１５）とを示す。図１４では画像中央部は副走査方向にとなりの白部と画像濃度が変わらないのに比べ、図１５では画像中央部が暗めになっている。これは画像中央部を読み取る際に主走査方向に両側が黒であるため、画像中央部に到達する２次照明光が減り、結果的に照明光量が減った事をシミュレーションできたことを表わしている。
したがって、第２の実施形態では、画像読取装置の設計段階において、任意の原稿パターンに対する１次照明光と２次照明光の要素を盛込んだ照明光の変化を読取画像として算出できるので、フレア現象などを直接画像品質として予測でき、より高品質な画像読取装置を実現できるといった効果を有する。
【００１２】
次に、本発明の第３の実施形態としての画像読取装置のシミュレーション装置について図１６のフローチャートを用いて説明する。第２の実施形態の画像読取装置のシミュレーション装置によって算出された照明画像に対して、その位置に該当する原稿パターン画像を画面間演算によって引き算する（ステップＳ３１〜ステップＳ４１）。演算結果によって得られた差分画像の画像データにはマイナス値も存在する可能性が高いため、そうならないように定数を画像データ全域に加算する。その後、差分画像を表示手段３３（図３）に表示する（ステップＳ４２）。
したがって、第３の実施形態では、原稿パターンとシミュレーション結果の読取画像の差分画像を算出しているので、原稿パターンに対して読取画像がどれだけ劣化しているかを容易に判断でき、また、劣化部分の特徴を画像上で確認できるため、より高品質な画像読取装置を実現できるといった効果を有する。
次に、本発明の第４の実施形態としての画像読取装置のシミュレーション装置について図１７のフローチャートを用いて説明する。第２の実施形態及び第３の実施形態においては、１次照明光強度分布と、２次照明光強度分布を加算して照明画像を算出していたが、第４の実施形態では、それ以外に１次照明光強度分布単独で１次照明画像を算出し（ステップＳ５１〜ステップＳ６１）、表示手段３３（図３）で、前記照明画像と前記１次照明画像を同時表示する（ステップＳ６２）。
したがって、第４の実施形態では、１次照明光単独と、１次照明光と２次照明光による任意原稿パターンに対する読取画像を算出し、両者を比較できるので、容易に２次照明光による読取画像品質の劣化を確認でき、より高品質な画像読取装置を実現できるといった効果を有する。
【００１３】
次に、本発明の第５の実施形態としての画像読取装置のシミュレーション装置について図１８のフローチャートを用いて説明する。第２の実施形態〜第４の実施形態までの画像読取装置のシミュレーション装置では、２次照明光強度の計算に読取位置周辺の原稿パターンデータが必要なため、原稿パターン周辺部に読取位置を設定すると、演算不能領域が生じてしまい（図１９参照）、原稿パターン全域をシミュレーションして照明画像を算出することはできない。そこで、原稿パターン周辺の原稿の反射率が均一であるとして、その反射率を設定する（ステップＳ７１〜ステップＳ７２）。２次照明光強度の計算においては、読取位置周辺に原稿パターンデータが無い場合、前記反射率データを用いて計算する。この操作により設定した原稿パターン全域に対する照明画像を算出し、表示できる（ステップＳ７３〜ステップＳ８２）。
したがって、第５の実施形態では、任意原稿パターンの周辺部の反射率データを設定できるので、２次照明光分布による２次照明光強度分布計算を原稿パターン全域に実施でき、より高品質な画像読取装置を実現できるといった効果を有する。
【００１４】
次に、本発明の第６の実施形態としての画像読取装置のシミュレーション装置について説明する。図２０に本実施形態の２次照明光分布を表わすイメージを、原稿パターンと対比して示す。本図では２次照明光分布の方が、解像度が２倍粗い。本実施形態による２次照明光強度分布の算出では、図に示すように読取位置内の４つのデータに対しては、同一の２次照明光強度を設定するようになる。また、２次照明光強度を読取位置ごとに算出するのも原稿パターンの解像度でなく、２次照明光分布の解像度のピッチに合わせて位置をずらしていくようにする。
通常本シミュレーション対象の画像読取装置は、読取解像度が４００−６００ｄｐｉから２４００ｄｐｉ程度であり、分解能で６３−１０μｍであるのに対して、２次照明光の影響範囲は１００ｍｍ以上の領域があることが実験的に判明している。（図２１に実験結果図を示す。白い部分が強い２次照明光を表わしている。）ただし、１００ｍｍの範囲中では滑らかな分布であり、局所的な変動は検出できない。そのためその領域すべての影響をシミュレーションに盛込むには、前記シミュレーション対象の画像読取装置の読取解像度に応じて計算した場合、膨大な計算回数が必要となるのに対して、本手法ではその回数を低減することになる。
したがって、第６の実施形態では、２次照明光分布の解像度が原稿パターン等の解像度よりも低いため、２次照明光強度分布計算において計算回数を低減でき、より短時間にシミュレーションを実施できるといった効果を有する。
次に、本発明の第７の実施形態としての画像読取装置のシミュレーション装置について説明する。  図１及び図２に示すように、線順次読取動作であるスキャナなどを対象としてシミュレーション装置である場合、その照明装置も線状に照明するように構成されている。つまり１次照明光分布は帯状に形成されていて、原稿面での１次照明光が反射して生じる２次照明光分布も帯状に形成される。結果的に読取ラインと垂直方向に対して、２次照明光分布は生じない。第７の実施形態の画像読取装置のシミュレーション装置では、原稿パターン及び１次２次照明光分布を、本シミュレーション対象の画像読取装置の読取幅全域としている。
したがって、第７の実施形態では、シミュレーション対象の画像読取装置における読取ライン全域に相当する範囲で読取画像を算出するシミュレーションが可能なので、前記画像読取装置の照明要素すべてを一度に評価でき、より高品質な画像読取装置を実現できるといった効果を有する。
【００１５】
次に、本発明の第８の実施形態としての画像読取装置のシミュレーション装置について説明する。シミュレーション対象の画像読取装置では、一般に搭載されている照明装置の照度むらを補正するため、シェーディング処理を行なっている。その動作について以下に説明する。図１及び図２における走行体１６がホームポジションにある状態で、白色の基準プレートを照明が点灯した状態で線状に読み取り、この読取データを補正データとする。実際に走行体１６が走査しながら取得された読取データに対して、前記補正データを用いて補正することで、読取線方向の照度むらを補正する。以下に補正式の例を示す。
補正後データ＝〔補正前データ÷補正データ〕×２５５    （式１）
ちなみに上記式は、８ｂｉｔ画像信号における信号処理例である。また上記処理は撮像素子２０の１画素ごとに実施する。第８の実施形態としての画像読取装置のシミュレーション装置では、上記シェーディング処理を図２３のフローチャートの手順でシミュレーションに取り込む（ステップＳ９１〜ステップＳ１０４）。ここで、ステップＳ９５の白色基準プレートデータの設定とは、画像読取装置に搭載されている白色基準プレートの光学反射率特性値を設定することである。ステップＳ９６の補正データの作成とは、前記白色基準プレートが原稿パターンと想定して、読取線状に相当する読取画像データを計算して算出する。この読取画像データを補正データとする。ステップＳ１０３のシェーディング処理の実施とは、前記補正データを用いて（式１）等の補正計算を画像全域に実施することである。
したがって、第８の実施形態では、シミュレーション対象の画像読取装置におけるシェーディング処理を盛込んで読取画像を算出することが可能なので、より実際に即した読取画像によって前記画像読取装置の照明要素を評価でき、より高品質な画像読取装置を実現できるといった効果を有する。
【００１６】
【発明の効果】
以上説明したように、請求項１によれば、画像読取装置の設計段階において、任意の原稿パターンに対する１次照明光と２次照明光の要素を盛込んだ照明光の変化を算出できるので、フレア現象といった画像品質に影響のある特性を予測でき、より高品質な画像読取装置を実現することができる。
請求項２によれば、画像読取装置の設計段階において、任意の原稿パターンに対する１次照明光と２次照明光の要素を盛込んだ照明光の変化を読取画像として算出できるので、フレア現象などを直接画像品質として予測でき、より高品質な画像読取装置を実現することができる。
請求項３によれば、原稿パターンとシミュレーション結果の読取画像の差分画像を算出しているので、原稿パターンに対して読取画像がどれだけ劣化しているかを容易に判断でき、また、劣化部分の特徴を画像上で確認できるため、より高品質な画像読取装置を実現することができる。
請求項４によれば、１次照明光単独と、１次照明光と２次照明光による任意原稿パターンに対する読取画像を算出し、両者を比較できるので、容易に２次照明光による読取画像品質の劣化を確認でき、より高品質な画像読取装置を実現することができる。
請求項５によれば、任意原稿パターンの周辺部の反射率データを設定できるので、２次照明光分布による２次照明光強度分布計算を原稿パターン全域に実施でき、より高品質な画像読取装置を実現することができる。
請求項６によれば、２次照明光分布の解像度が原稿パターン等の解像度よりも低いため、２次照明光強度分布計算において計算回数を低減でき、より短時間にシミュレーションを実施することができる。
請求項７によれば、シミュレーション対象の画像読取装置における読取ライン全域に相当する範囲で読取画像を算出するシミュレーションが可能なので、前記画像読取装置の照明要素すべてを一度に評価でき、より高品質な画像読取装置を実現することができる。
請求項８によれば、シミュレーション対象の画像読取装置におけるシェーディング処理を盛込んで読取画像を算出することが可能なので、より実際に即した読取画像によって前記画像読取装置の照明要素を評価でき、より高品質な画像読取装置を実現することができる。
請求項９によれば、画像読取装置の設計段階において、任意の原稿パターンに対する１次照明光と２次照明光の要素を盛込んだ照明光の変化を算出できるので、フレア現象といった画像品質に影響のある特性を予測でき、より高品質な画像読取装置を実現することができる。
請求項１０によれば、画像読取装置の設計段階において、任意の原稿パターンに対する１次照明光と２次照明光の要素を盛込んだ照明光の変化を算出できるので、フレア現象といった画像品質に影響のある特性を予測でき、より高品質な画像読取装置を実現することができる。
【図面の簡単な説明】
【図１】画像読取装置の概略を示す斜視図である。
【図２】画像読取装置の概略を示す側面図である。
【図３】画像読取装置のシミュレーション装置１００の構成を示す図である。
【図４】第１の実施形態の動作を示すフローチャートである。
【図５】原稿パターンの上面図である。
【図６】１次照明光分布データを示す図である。
【図７】２次照明光分布データを示す図である。
【図８】２次照明光分布データ取得方法に関する計測手法の概略図である。
【図９】読取位置の設定を説明する図である。
【図１０】１次照明光強度演算を説明する図である。
【図１１】２次照明光強度演算を説明する図である。
【図１２】第２の実施形態の動作を示すフローチャートである。
【図１３】第２の実施形態における読込動作に用いた原稿パターンを示す図である。
【図１４】２次照明光強度成分を含まないで算出したシミュレーション画像を示す図である。
【図１５】２次照明光強度成分を含んで算出したシミュレーション画像を示す図である。
【図１６】第３の実施形態の動作を示すフローチャートである。
【図１７】第４の実施形態の動作を示すフローチャートである。
【図１８】第５の実施形態の動作を示すフローチャートである。
【図１９】原稿パターンにおける演算不能領域を示す図である。
【図２０】第６の実施形態における２次照明光分布を表すイメージを原稿パターンと対比して示した図である。
【図２１】２次照明光の影響範囲に関わる実験結果を示す図である。
【図２２】第８の実施形態の動作を示すフローチャートである。
【図２３】フレア現象の発生原理を説明する図である。
【図２４】フレア現象が生じた場合の読取画像の概略図である。
【符号の説明】
１  照明装置、２  照明光、３  原稿面、４  光学部品、５  再照明光、６  黒パターン部、７  境界部、８  白パターン部、１１  原稿、１２  コンタクトガラス、１３  ランプ、１４  リフレクター、１５  撮像領域、１６，１７  走行体、１８  ミラー、１９  レンズ、２０  １次元撮像素子、２１  モータ、２２  伝達手段、３１  設定手段、３２  演算手段、３３  表示手段、３４  記録手段、３５  データバス、４１  点光源装置、４２  照明装置、４３  光学部品、４４  照度計、５１  １次照明光分布データ、５２，６２  読取位置、５３  強度データ、６１  ２次照明光分布データ、１００  画像読取装置のシミュレーション装置
【図１】
2004227225.tif 000003
【図２】
2004227225.tif 000004
【図３】
2004227225.tif 000005
【図４】
2004227225.tif 000006
【図５】
2004227225.tif 000007
【図６】
2004227225.tif 000008
【図７】
2004227225.tif 000009
【図８】
2004227225.tif 000010
【図９】
2004227225.tif 000011
【図１０】
2004227225.tif 000012
【図１１】
2004227225.tif 000013
【図１２】
2004227225.tif 000014
【図１３】
2004227225.tif 000015
【図１４】
2004227225.tif 000016
【図１５】
2004227225.tif 000017
【図１６】
2004227225.tif 000018
【図１７】
2004227225.tif 000019
【図１８】
2004227225.tif 000020
【図１９】
2004227225.tif 000021
【図２０】
2004227225.tif 000022
【図２１】
2004227225.tif 000023
【図２２】
2004227225.tif 000024
【図２３】
2004227225.tif 000025
【図２４】
2004227225.tif 000026